(57)【特許請求の範囲】
【請求項１】
液体流入口を備える環状の弁座部を備えた弁箱と、
前記弁座部に当接して前記液体流入口を閉鎖する閉位置と、前記弁座部から離間する開位置との間を移動可能な弁体と、
前記弁座部から外周側に突出するフランジと、を有し、
前記弁箱は、
前記弁体を外周側から囲む位置で前記弁座部から当該弁体の移動方向に延びて当該弁体を案内する複数本のリブと、
周方向で各リブの間に設けられて各リブの径方向外側に向かって開口する液体流出口と、を有し、
各リブにおいて前記弁体の外周面と対向するリブ側対向面および当該弁体の外周面において当該リブ側対向面に対向した領域である弁体側対向面の一方の対向面は、他方の対向面に接触可能な接触部と、前記弁体の移動方向と直交する方向に前記他方の対向面から離間した逃げ部と、を備え、
前記接触部は、前記移動方向に延設されていることを特徴とする逆止弁。
【請求項２】
請求項１において、
前記移動方向と直交する方向で前記リブおよび前記弁体を切断した断面において、前記一方の対向面の前記接触部は、前記他方の対向面と点で接触することを特徴とする逆止弁。
【請求項３】
請求項１または２において、
前記一方の対向面は、前記周方向の中央に前記接触部を備えることを特徴とする逆止弁。
【請求項４】
請求項１または２において、
前記一方の対向面のそれぞれが複数の前記接触部を備えることを特徴とする逆止弁。
【請求項５】
請求項４において、
前記一方の対向面には、前記移動方向に延在する溝が設けられ、
前記接触部は、前記一方の対向面の周方向両側の端縁であることを特徴とする逆止弁。
【請求項６】
請求項１ないし３のうちのいずれかの項において、
前記一方の対向面には、前記移動方向に延在する突条が設けられ、
前記接触部は、前記突条の先端であることを特徴とする逆止弁。
【請求項７】
請求項１ないし６のうちのいずれかの項において、
前記接触部および前記逃げ部は、前記リブ側対向面に設けられていることを特徴とする逆止弁。
【請求項８】
請求項１ないし３のうちのいずれかの項において、
前記接触部および前記逃げ部は、前記弁体側対向面に設けられていることを特徴とする逆止弁。
【発明の詳細な説明】
【技術分野】
【０００１】
本発明は水道の配管の途中などに設置される逆止弁に関する。
【背景技術】
【０００２】
このような逆止弁は特許文献１に記載されている。特許文献１の逆止弁は、液体流入口および液体流出口を有する弁箱と、この弁箱内に収納されて流体流入口を開閉する弁体と、弁箱から外周側に突出する環状のフランジを備える。弁箱は、液体流入口を備える環状の弁座部と、流水方向の下流側で液体流入口と対向する底部と、弁体の外周側で弁座部と底部を接続する３本のリブを備える。周方向における３本のリブの間は液体流出口となっている。弁体は、弁座部に当接して液体流入口を閉鎖する閉位置と、弁座部から流水方向の下流側に離間する開位置との間を移動する。３本のリブは閉位置と開位置の間を移動する弁体を外周側から案内する。
【０００３】
逆止弁は、水道管を構成する１次側配管(上流側配管）と２次側配管（下流側配管）の間にフランジを挟み、配管内に弁箱を挿入した状態で設置される。弁体は、液体流入口を介して流入する流体の圧力により閉位置から開位置に移動する。弁体が開位置に移動すると、液体流入口から流入する流体は液体流出口から流出する。流体の流入が停止すると、弁体はコイルバネの付勢力によって閉位置に戻り、液体流入口を閉鎖する。これにより流体の逆流が防止される。
【先行技術文献】
【特許文献】
【０００４】
【特許文献１】特許平１１−６７９９８号公報
【発明の概要】
【発明が解決しようとする課題】
【０００５】
配管の施工時には、ごく稀に、配管からの切粉や砂などの微細な異物が配管内に入り込むことがある。ここで、弁箱が配管内に挿入されて設置される逆止弁では、液体流入口が配管の内径よりも小さいので、流体が液体流入口を通過する際にその流速が上昇する。従って、配管に入り込んだ異物が液体流入口から弁箱に流入した場合には、異物が弁体の外周面とリブの内周面の間に侵入して、これらの間に挟み込まれた状態（逆止弁が異物を噛み込んだ状態）となることがある。
【０００６】
逆止弁が異物を噛み込むと弁体の移動が阻害される。この結果、逆止弁では流体の逆流を防止する機能の低下や通水量の低下などの不具合が発生する。
【０００７】
本発明の課題は、このような点に鑑みて、異物を噛み込んでしまうことを防止あるいは抑制できる逆止弁を提供することにある。
【課題を解決するための手段】
【０００８】
上記課題を解決するために、本発明の逆止弁は、液体流入口を備える環状の弁座部を備えた弁箱と、前記弁座部に当接して前記液体流入口を閉鎖する閉位置と、前記弁座部から離間する開位置との間を移動可能な弁体と、前記弁座部から外周側に突出するフランジと、を有し、前記弁箱は、前記弁体を外周側から囲む位置で前記弁座部から当該弁体の移動方向に延びて当該弁体を案内する複数本のリブと、周方向で各リブの間に設けられて各リブの径方向外側に向かって開口する液体流出口と、を有し、各リブにおいて前記弁体の外周面と対向するリブ側対向面および当該弁体の外周面において当該リブ側対向面に対向した領域である弁体側対向面の一方の対向面は、他方の対向面に接触可能な接触部と、前記弁体の移動方向と直交する方向に前記他方の対向面から離間した逃げ部と、を備え、前記接触部は、前記移動方向に延設されていることを特徴とする。
【０００９】
本発明によれば、弁体を案内するリブのリブ側対向面と弁体の弁体側対向面とは、一方の対向面に部分的に設けられた接触部が他方の対向面と接触するものとなる。従って、弁体側対向面の全体とリブ側対向面の全体が接触してリブが弁体を案内する場合と比較して、リブと弁体の接触面積が小さくなる。よって、リブと弁体の間に異物を挟み込んでしまうことを抑制できる。また、リブと弁体の間に異物を挟み込んでしまった場合でも、リブと弁体の接触面積が小さく、接触部が弁体の移動方向（流体の流通方向）に延設されているので、異物はリブと弁体の間で安定しない。従って、異物は、リブと弁体の間から逃げ部および液体流出口を介してリブの径方向外側に流出して、逆止弁の下流側に流れ出る。これにより、逆止弁が異物を噛み込んだままの状態となることを防止或いは抑制できる。さらに、接触部は弁体の移動方向に延設されているので、接触部により弁体を案内できる。よって、閉位置と開位置を移動する弁体の挙動が安定する。
【００１０】
本発明において、前記移動方向と直交する方向で前記リブおよび前記弁体を切断した断面において、前記一方の対向面の前記接触部は、前記他方の対向面と点で接触することが望ましい。このようにすれば、リブと弁体の接触面積をごく僅かなものとすることができる。従って、逆止弁が異物を噛み込んでしまうことを、より、抑制できる。また、逆止弁が異物を噛み込んだままの状態となることを、より、抑制できる。
【００１１】
本発明において、前記一方の対向面は、前記周方向の中央に前記移動方向に延びる突条を備え、前記接触部は、前記突条の先端であるものとすることができる。このようにすれば、周方向における接触部の両側に逃げ部を設けることが容易である。
【００１２】
本発明において、前記一方の対向面のそれぞれが複数の前記接触部を備えるものとすることができる。このようにすれば、弁体を複数の接触部によって案内できるので、弁体の挙動が安定しやすい。この場合に、前記一方の対向面には、前記移動方向に延在する溝が設けられ、前記接触部は、前記溝の周方向両側の端縁であるものとすることができる。あるいは、前記一方の対向面には、前記移動方向に延在する突条が設けられ、前記接触部は、前記突条の先端であるものとすることができる。
【００１３】
本発明において、前記接触部および前記逃げ部は、前記リブ側対向面に設けられているものとすることができる。このようにすれば、閉位置と開位置との間を移動する弁体が周方向に回転する場合でも、弁体とリブが接触する面積を小さく維持できる。
【００１４】
また、本発明では、前記接触部および前記逃げ部は、前記弁体側対向面に設けられていてもよい。この場合、リブに逃げ部を設けるなどの加工を施さなくてもよいので、リブの剛性を維持できる。
【発明の効果】
【００１５】
本発明によれば、逆止弁が配管内を流れる異物を噛み込んでしまうことを防止或いは抑制できる。
【図面の簡単な説明】
【００１６】
【図１】本発明の逆止弁の斜視図である。
【図２】逆止弁の斜視図の断面図である。
【図３】逆止弁の分解斜視図である。
【図４】逆止弁を軸線と直交する平面で切断した断面図である。
【図５】逆止弁の異物の噛み込みを検証する検証実験の実験設備の説明図および参考例の逆止弁の断面図である。
【図６】図５に示す検証実験の実験結果の表である。
【図７】変形例１、２の逆止弁の断面図および検証実験の実験結果の表である。
【図８】変形例３、４、５の逆止弁の断面図である。
【発明を実施するための形態】
【００１７】
以下に、図面を参照して、本発明の実施の形態に係る逆止弁を説明する。
【００１８】
図１は本発明を適用した逆止弁の斜視図である。図２は水道管の途中位置に設置した状態の逆止弁の断面図である。図２（ａ）は弁体が閉位置にある状態を示し、図２（ｂ）は弁体が開位置にある状態を示す。図３は逆止弁の分解斜視図である。
【００１９】
本例の逆止弁は水道管の途中位置に設置されるものである。図１に示すように、逆止弁１は、弁箱２と、弁箱２の内側に収納された弁体３およびコイルバネ４を有する。また、逆止弁１は、弁箱２から外周側に突出する円環状のフランジ５と、環状のゴムパッキン８を有する。ゴムパッキン８は、内周面に半径方向に窪む環状凹部８ａ（図２参照）を備える。ゴムパッキン８は、環状凹部８ａにフランジ５が挿入された状態とされて、外周側からフランジ５に取り付けられている。以下の説明では、逆止弁１の軸線Ｌ方向を前後方向Ｘとし、フランジ５が位置する側とは反対側を逆止弁１の前方Ｘ１（前側）、フランジ５が位置する側を逆止弁１の後方Ｘ２（後側）とする。
【００２０】
図１、図２に示すように、弁箱２は、流入口（液体流入口）１１を備える環状の弁座部１２と、弁座部１２の前方Ｘ１で弁座部１２と間隔を開けて同軸に配置された底部１３と、弁座部１２と底部１３を接続する３本のリブ１４を備える。３本のリブ１４は軸線Ｌ回りに等角度間隔に設けられている。周方向における各リブ１４の間は流出口（液体流出口）１５である。
【００２１】
図２に示すように、弁座部１２は、筒部１７と、筒部１７の内周側に固定された環状の弁座パッキン１８を備える。弁座パッキン１８は弁体３が当接する弁座であり、弁座部１２における流入口１１の前側の開口縁を規定する。３本のリブ１４は筒部１７の前端縁から軸線Ｌ方向に延びる。フランジ５は筒部１７の後側部分から径方向を外周側に突出している。
【００２２】
底部１３は、流入口１１と対向する円形の端板部分２１と、端板部分２１の外周縁から後方Ｘ２に向かって外周側に延びる環状のテーパー壁部分２２と、端板部分２１の中心部分から突出してテーパー壁部分２２と同軸に延びる支軸２３を備える。支軸２３の先端はテーパー壁部分２２の後端縁よりも弁座部１２の側に位置する。３本のリブ１４はテーパー壁部分２２の外周面に連続している。テーパー壁部分２２の内周面の前後方向Ｘの途中位置には段部が設けられている。段部は環状の後向き面２５を備える。
【００２３】
弁体３は、弁座（弁座パッキン１８）に当接して流入口１１を封鎖する弁部２７と、弁部２７から前方Ｘ１に突出する軸部２８を備える。弁部２７は流入口１１の内径寸法よりも小さい円形板部分２９と、円形板部分２９の外周縁から外周側に向って前方Ｘ１に拡径する環状のテーパー板部分３０と、テーパー板部分３０の外周縁部分から前方Ｘ１に延びる一定幅の筒状板部３１を備える。軸部２８は円形板部分２９の中心部分から突出して軸線Ｌ方向を前方Ｘ１に延びる。端板部分２１、テーパー板部分３０、筒状板部３１および軸部２８は同軸である。軸部２８は中心孔２８ａを備える。中心孔２８ａは軸部２８の前端面から軸線Ｌに沿って後方Ｘ２に延びている。
【００２４】
弁体３は、軸部２８の中心孔２８ａに弁箱２の支軸２３が挿入された状態で、弁箱２に収納されている。支軸２３は弁体３を軸線Ｌ方向で移動可能に支持する。弁箱２内において、弁体３は、流入口１１を封鎖する閉位置３Ａと、流入口１１から前方Ｘ１に離間する開位置３Ｂの間を軸線Ｌ方向に移動する。閉位置３Ａは、図２（ａ）に示すように、弁部２７の円形板部分２９が流入口１１に挿入され、テーパー板部分３０が弁座部１２の弁座
パッキン１８に当接する位置である。開位置３Ｂは、図２（ｂ）に示すように、弁部２７が弁座パッキン１８から離間して、その筒状板部３１の前端縁が底部１３のテーパー壁部分２２の後端縁に当接する位置である。
【００２５】
ここで、弁体３が弁箱２に挿入された状態では、３本のリブ１４は、弁体３の外周面３ａに当接可能である。より具体的には、３本のリブ１４は弁部２７の筒状板部３１の外周面３ａに当接可能である。３本のリブ１４は、閉位置３Ａと開位置３Ｂの間を移動する弁体３を当該弁体３の外周側から案内する。
【００２６】
コイルバネ４は、弁体３の軸部２８の外周側に位置する。コイルバネ４の後端部分は前方Ｘ１から弁部２７に当接する。コイルバネ４の前端部分は後方Ｘ２から弁箱２のテーパー壁部分２２の後向き面２５に当接する。これにより、コイルバネ４は、弁体３を閉位置３Ａに付勢する。ここで、コイルバネ４が弁体３に当接するので、弁体３が閉位置３Ａと開位置３Ｂの間を移動する間に、弁体３が軸線Ｌ回りに回転することはない。
【００２７】
（逆止弁の組み立て方法）
図３に示すように、弁箱２およびフランジ５は、弁箱本体４１と流入口規定部材４２の２つの部材から構成されている。弁箱本体４１はＰＯＭ（ポリアセタール樹脂）製である。流入口規定部材４２はＰＯＭ（ポリアセタール樹脂）製または青銅合金製である。弁箱本体４１は、一定幅の筒状板部４３と３本のリブ１４と底部１３を備える。３本のリブ１４は筒状板部４３の前端縁から前方Ｘ１に延びる。底部１３は３本のリブ１４の前端部分を接続している。また、弁箱本体４１は、筒状板部４３の後端から径方向を外側に突出する弁箱本体側環状板部４４を備える。
【００２８】
流入口規定部材４２は、中央に流入口１１が形成された流入口規定部材側環状板部４６と、流入口規定部材側環状板部４６における流入口１１の開口縁から前方Ｘ１に突出する筒状のパッキン支持部４７を備える。パッキン支持部４７は、その外周側に弁座パッキン１８を支持する。弁座パッキン１８がパッキン支持部４７に支持された状態では、図２に示すように、弁座パッキン１８はパッキン支持部４７の前端縁から前方Ｘ１に突出している。
【００２９】
逆止弁１を組み立てる際には、まず、弁箱本体４１の内側に弁体３およびコイルバネ４を収納する。より具体的には、弁体３の軸部２８の外周側にコイルバネ４を配置し、この状態で弁体３の軸部２８の中心孔２８ａに支軸２３を挿入する。また、これと並行して、流入口規定部材４２に弁座パッキン１８を支持させる。
【００３０】
次に、弁座パッキン１８およびパッキン支持部４７を弁箱本体４１の後方Ｘ２から筒状板部４３の内側に挿入して、流入口規定部材側環状板部４６を弁箱本体側環状板部４４に当接させる。これにより、図２に示すように、流入口規定部材４２のパッキン支持部４７と弁箱本体４１の筒状板部４３は弁座部１２の筒部１７を構成する。弁座パッキン１８は流入口規定部材４２のパッキン支持部４７と弁箱本体４１の筒状板部４３により径方向の両側から挟持された状態で筒部１７の内側に固定される。流入口規定部材側環状板部４６と弁箱本体側環状板部４４は弁座部１２から外周側に突出するフランジ５を構成する。ここで、ゴムパッキン８は、フランジ５の外周側からフランジ５に嵌め込まれ、フランジ５の前側端面および後側端面を被う。
【００３１】
（リブ側対向面の形状）
次に、図４を参照して、各リブ１４の形状を説明する。図４は、軸線Ｌと直交してリブ１４および弁体３の筒状板部３１を通過する平面で逆止弁１を切断した場合の断面図である。図４では逆止弁１を前方Ｘ１から見ている。図４に示すように、各リブ１４は、弁体
３の外周面３ａ（弁部２７の筒状板部３１の外周面３ａ）と対向するリブ側対向面５１を備える。また、弁体３は、弁部２７の筒状板部３１の円環状の外周面３ａにおいて、リブ側対向面５１に対向した領域である弁体側対向面５２を備える。
【００３２】
リブ側対向面５１は、周方向の中央部分に軸線Ｌ方向に延びる突条５４を備える。突条５４はリブ側対向面５１における軸線Ｌ方向の全範囲に設けられている。突条５４の断面は径方向の内側に向って突出する半円形状である。リブ側対向面５１において、周方向における突条５４の両側には、軸線Ｌを中心として規定される円弧面５５、５６が設けられている。
【００３３】
弁体側対向面５２は、弁体３（弁部２７の筒状板部３１）の外周面３ａにおいてリブ側対向面５１と対向する領域である。弁体側対向面５２は軸線Ｌを中心として規定される円弧面である。従って、弁体側対向面５２とリブ側対向面５１の円弧面５５、５６は一定の隙間を空けて対向する。
【００３４】
ここで、リブ側対向面５１における突条５４の先端は、弁体側対向面５２に接触可能な接触部５４ａである。図４に示すように、軸線Ｌと直交する方向でリブ１４および弁体３を切断した断面では、接触部５４ａは、弁体側対向面５２と点で接触する。リブ側対向面５１において接触部５４ａを除いた部分は、接触部５４ａから外周側に後退する逃げ部である。逃げ部は弁体側対向面５２から離間する。すなわち、逃げ部と弁体側対向面５２の間には隙間が形成されている。
【００３５】
（逆止弁の水道管内への設置）
図２に示すように、逆止弁１は、水道管を構成する１次側配管６０(上流側配管）と２次側配管６１（下流側配管）の間にフランジ５を挟み、弁箱２を配管６０、６１に挿入した状態で設置される。逆止弁１が配管６０、６１内に設置された設置姿勢では、その軸線Ｌは、１次側配管および２次側配管６１と同軸であり、流水方向Ｓに沿っている。また、弁箱２は、底部１３が弁座部１２よりも流水方向Ｓの下流側に位置する。
【００３６】
ここで、逆止弁１の設置時には、１次側配管６０と２次側配管６１はこれらの接続部分の外周側に螺合する袋ナット６２により締結される。袋ナット６２が締められて１次側配管６０と２次側配管６１が接近すると、ゴムパッキン８は、弾性変形して逆止弁１と１次側配管６０の間、および、逆止弁１と２次側配管６１の間を液密にシールする。
【００３７】
逆止弁１の弁体３は、流入口１１を介して流入する水の圧力により、コイルバネ４の付勢力に抗して閉位置３Ａから開位置３Ｂに移動する。図２（ｂ）に示すように、弁体３が開位置３Ｂに移動すると、流入口１１から流入する水は流出口１５から流出する。水の流入が停止すると、図２（ａ）に示すように、弁体３はコイルバネ４の付勢力によって閉位置３Ａに戻り、液体流入口１１を閉鎖する。従って、水の逆流が防止される。
【００３８】
なお、水道管内には、ごく稀に、配管からの切粉や砂などの異物が配管内に入り込んでいる場合がある。ここで、本例のように、弁箱２が配管内に挿入されて設置される逆止弁１では、流入口１１が配管６０、６１の内径よりも小さいので、水が流入口１１を通過する際にその流速が上昇する。従って、配管６０内に入り込んだ異物が流入口１１から弁箱２に流入した場合には、異物が弁体３の外周面３ａと弁箱２の内周面（リブ１４の内周面）の間に侵入して、これらの間に挟み込まれた状態（逆止弁１が異物を噛み込んだ状態）となることがある。逆止弁１が異物を噛み込むと弁体３の移動が阻害される。この結果、逆止弁１では水の逆流を防止する機能の低下や通水量の低下などの不具合が発生する。
【００３９】
これに対して、本例では、弁体３の弁体側対向面５２と、弁体３を案内するリブ１４の
リブ側対向面５１は、リブ側対向面５１に部分的に設けられた接触部５４ａが弁体側対向面５２と接触する。従って、弁体側対向面５２の全体とリブ側対向面５１の全体が接触してリブ１４が弁体３を案内する場合と比較して、弁体３とリブ１４の接触面積が小さい。よって、弁体３とリブ１４の間に異物を挟み込んでしまうことを抑制できる。
【００４０】
また、弁体３とリブ１４の間に異物を挟み込んだ場合でも、弁体３とリブ１４の接触面積が小さく、接触部５４ａが弁体３の移動方向に延設されているので、異物は弁体３とリブ１４の間で安定しない。従って、異物は、弁体３とリブ１４の間から逃げ部および流出口１５を介して逆止弁１の下流側に流れ出る。よって、逆止弁１が異物を噛み込んだままの状態となることを防止或いは抑制できる。さらに、接触部５４ａは弁体３の移動方向に延設されているので、接触部５４ａにより弁体３を案内できる。よって、閉位置３Ａと開位置３Ｂを移動する弁体３の挙動が安定する。
【００４１】
また、本例では、軸線Ｌと直交する方向でリブ１４および弁体３を切断した断面において、リブ側対向面５１の接触部５４ａは、弁体側対向面５２と点で接触する。これにより、弁体３とリブ１４の接触面積はごく僅かなものとなるので、逆止弁１が異物を噛み込んでしまうことを、より、抑制できる。また、逆止弁１が異物を噛み込んだままの状態となることを、より、抑制できる。
【００４２】
さらに、本例では、接触部５４ａおよび逃げ部は、リブ側対向面５１に設けられている。従って、閉位置３Ａと開位置３Ｂとの間を移動する弁体３が周方向に回転した場合でも、弁体３とリブ１４が接触する面積を小さく維持できる。
【００４３】
（検証実験）
ここで、本発明者らは、逆止弁１の異物の噛み込みを検証する検証実験を行った。図５（ａ）は検証実験の実験装置の説明図であり、図５（ｂ）は、本例の逆止弁１の比較対象とした参考例の逆止弁の断面図である。図６は検証実験の実験結果を示す表である。
【００４４】
図５（ａ）に示すように、実験装置１００は、実験用の配管１０１に、流水方向Ｓの上流側から、圧力源１０２、流量計１０３、閉止弁１０４、異物投入口１０５、圧力計１０６、供試品（逆止弁１、逆止弁１’）、流量調整弁１０７、閉止弁１０８をこの順番に配置したものである。
【００４５】
図５（ｂ）に示すように、参考例の逆止弁１’は、弁体側対向面５２の全体とリブ側対向面５１の全体が接触可能な構成のものである。より具体的には、逆止弁１’は、リブ側対向面５１に突条５４を備えておらず、その全面が軸線Ｌを中心として規定される円弧面となっている。なお、参考例の逆止弁１’は、リブ側対向面５１の形状を除く他の構成は上記の例と同一なので、他の構成の説明は省略する。
【００４６】
検証実験では、異物投入口１０５から０．１ｇの砂を入れて２分間通水する。その間、３０秒ごとに閉止弁１０８を開閉して、逆止弁１、１’における砂の噛み込みを確認する。検証実験では静水圧を０．２ＭＰａとした。流量は８Ｌ／ｍｉｎの場合と１６Ｌ／ｍｉｎの場合で行った。砂の粒子の大きさは、０．２５ｍｍの場合と０．５ｍｍの場合で行った。逆止弁１と逆止弁１’は、それぞれ供試品として５個を用いた。
【００４７】
図６に示すように、本例の逆止弁１では、逆止弁１が砂を噛み込むことがなかった。これに対して、参考例の逆止弁１’では、４０％〜１００％の確率で砂を噛み込んだ。従って、本例の逆止弁１によれば、異物の噛み込みを防止できる。ここで、本例の逆止弁１を用いた場合の圧力損失は１５．７ｋＰａであり、参考例の逆止弁１’を用いた場合の圧力損失の１５．７ｋＰａと同一であった。
【００４８】
（変形例１）
次に、図７、図８を参照して、変形例の逆止弁を説明する。図７（ａ）、（ｂ）は、それぞれリブ側対向面５１の形状が上記の例とは相違する変形例１、２の逆止弁の説明図である。図７（ａ）、（ｂ）における上側の図は各変形例１、２の逆止弁の断面図であり、下側の図は図５（ａ）に示す実験装置１００による検証実験の実験結果を示す表である。なお、変形例１、２の逆止弁は、リブ側対向面５１の形状を除く他の構成は上記の例と同一なので、リブ側対向面５１を説明して、他の構成の説明は省略する。
【００４９】
図７（ａ）に示すように、変形例１の逆止弁１Ａのリブ側対向面５１は、その断面形状が内周側に突出するＶ字形である。具体的には、リブ側対向面５１は、周方向の一方の端縁から中央に向かって内側（弁体３に接近する方向）に傾斜する第１傾斜面７１と、周方向の他方の端縁から中央に向かって内側（弁体３に接近する方向）に傾斜する第２傾斜面７２を備える。従って、リブ側対向面５１は周方向の中心に軸線Ｌ方向に延びる稜線を備える。ここで、リブ側対向面５１の稜線は、弁体側対向面５２に接触可能な接触部７３である。軸線Ｌと直交する方向でリブ１４および弁体３を切断した断面において、接触部７３は、弁体側対向面５２と点で接触する。リブ側対向面５１において接触部７３を除いた部分は、接触部７３から後退する逃げ部であり、弁体側対向面５２から離間している。すなわち、逃げ部と弁体側対向面５２の間には隙間が形成されている。
【００５０】
変形例１の逆止弁１Ａでは、参考例の逆止弁１’と比較して、流速８Ｌ／ｍｍで砂の粒の大きさ０．２５ｍｍの場合に、砂を噛み込む確率が低下した。また、本例の逆止弁１Ａでは、上記の逆止弁１と比較して、リブ側対向面５１の磨耗を抑制できる。
【００５１】
（変形例２）
図７（ｂ）に示すように、変形例２の逆止弁１Ｂは、リブ側対向面５１における周方向の中央部分に軸線Ｌ方向に延びる溝７５を備える。本例では、溝７５の断面形状はＶ字形である。より具体的には、リブ側対向面５１は、周方向の一方の端縁から中央に向かって外側（弁体３から離間する方向）に傾斜する第１傾斜面７６と、周方向の他方の端縁から中央に向かって外側（弁体３から離間する方向）に傾斜する第２傾斜面７７とを備える。
【００５２】
ここで、リブ側対向面５１の周方向の両側の端縁部分は、弁体側対向面５２に接触可能な接触部７８、７９である。軸線Ｌと直交する方向でリブ１４および弁体３を切断した断面において、これら２つの接触部７８、７９は、それぞれ弁体側対向面５２と点で接触する。リブ側対向面５１において接触部７８、７９を除いた部分は、接触部７３から後退する逃げ部であり、弁体側対向面５２から離間している。すなわち、逃げ部と弁体側対向面５２の間には隙間が形成されている。
【００５３】
変形例２の逆止弁１Ｂでは、参考例の逆止弁１’と比較して、流速８Ｌ／ｍｍで砂の粒の大きさ０．２５ｍｍの場合、および、流速１６Ｌ／ｍｍで砂の粒の大きさ０．２５ｍｍの場合に、砂を噛み込む確率が低下した。また、本例では、弁体３を複数の接触部７８、７９によって案内するので、閉位置３Ａと開位置３Ｂの間を移動する弁体３の挙動が安定しやすい。
【００５４】
なお、上記の例では、リブ側対向面５１に設けた接触部は、軸線Ｌと直交する方向でリブ１４および弁体３を切断した断面において、いずれも弁体側対向面５２と点で接触しているが、面で接触してもよい。
【００５５】
（変形例３）
上記の例では、リブ側対向面５１に突条５４や溝７５を設けているが、弁体側対向面５
２の側に突条や溝を設けてもよい。図８（ａ）、（ｂ）、（ｃ）は、それぞれリブ側対向面５１および弁体側対向面５２の形状が上記の例と相違する変形例３、４、５の逆止弁の説明図である。図８では、各変形例３、４、５の逆止弁の断面図を示す。なお、変形例３、４、５では、リブ側対向面５１の形状および弁体側対向面５２の形状を除く他の構成は逆止弁１と同一なので、リブ側対向面５１および弁体側対向面５２を説明して、他の構成の説明は省略する。
【００５６】
図８（ａ）に示すように、変形例３の逆止弁１Ｃは、リブ側対向面５１として軸線Ｌを中心に規定される円弧面を備える。弁体側対向面５２は、周方向の中央部分に軸線Ｌ方向に延びる突条８１を備える。突条８１の断面は径方向を外周側に向って突出する半円形状である。弁体側対向面５２において、周方向における突条８１の両側には、軸線Ｌを中心として規定される円弧面８２、８３が設けられている。
【００５７】
ここで、弁体側対向面５２の突条８１の先端は、リブ側対向面５１に接触可能な接触部８１ａである。接触部８１ａは、軸線Ｌと直交する平面でリブ１４および弁体３を切断した断面において、リブ側対向面５１と点で接触する。弁体側対向面５２において接触部８１ａを除いた部分は、接触部８１ａから後退する逃げ部であり、リブ側対向面５１から離間している。すなわち、逃げ部とリブ側対向面５１の間には隙間が形成されている。
【００５８】
本例の逆止弁１Ｃにおいても、上記の例と同様に、弁体３とリブ１４の間に異物を挟み込んでしまうことを抑制できる。また、逆止弁１が異物を噛み込んだままの状態となることを防止或いは抑制できる。さらに、接触部８１ａにより弁体３を案内できるので、閉位置３Ａと開位置３Ｂを移動する弁体３の挙動が安定する。なお、接触部８１ａとリブ側対向面５１は、軸線Ｌと直交する方向でリブ１４および弁体３を切断した断面において、面で接触してもよい。
【００５９】
（変形例４）
図８（ｂ）に示すように、変形例４の逆止弁１Ｄは、リブ側対向面５１として軸線Ｌを中心に規定される円弧面を備える。弁体側対向面５２は、周方向の中央部分に軸線Ｌ方向に延びる一本の溝８５を備える。本例では、溝８５の断面形状はＶ字形である。より具体的には、弁体側対向面５２は、周方向の一方の端縁から中央に向かって内側（リブ１４から離間する方向）に傾斜する第１傾斜面８６と、周方向の他方の端縁から中央に向かって内側（リブ１４から離間する方向）に傾斜する第２傾斜面８７を備える。
【００６０】
ここで、弁体側対向面５２の周方向の両側の端縁部分は、リブ側対向面５１に接触可能な接触部８８、８９となっている。軸線Ｌと直交する方向でリブ１４および弁体３を切断した断面において、これら２つの接触部８８、８９は、それぞれリブ側対向面５１と点、或いは、僅かな面で接触する。弁体側対向面５２において接触部８８、８９を除いた部分は、接触部８８、８９から後退する逃げ部であり、弁体側対向面５２から離間している。すなわち、逃げ部とリブ側対向面５１の間には隙間が形成されている。
【００６１】
本例の逆止弁１Ｄにおいても、上記の例と同様に、弁体３とリブ１４の間に異物を挟み込んでしまうことを抑制できる。また、逆止弁１が異物を噛み込んだままの状態となることを防止或いは抑制できる。さらに、接触部８１ａにより弁体３を案内できるので、閉位置３Ａと開位置３Ｂを移動する弁体３の挙動が安定する。また、本例では、弁体３を複数の接触部８８、８９により案内するので、弁体３の挙動が安定しやすい。
【００６２】
（変形例５）
図８（ｃ）に示すように、変形例５の逆止弁１Ｅは、リブ側対向面５１として軸線Ｌを中心に規定される円弧面を備える。弁体側対向面５２は、軸線Ｌ方向に平行に延びる３本
の溝９１を備える。各溝９１の断面形状は半円形である。
【００６３】
ここで、弁体側対向面５２の周方向において各溝９１の間はリブ側対向面５１に接触可能な接触部９２、９３である。軸線Ｌと直交する方向でリブ１４および弁体３を切断した断面において、これら各溝９１の間の接触部９２、９３は、それぞれリブ側対向面５１と点で接触する。また、弁体側対向面５２の周方向の両側の端縁部分は、リブ側対向面５１に接触可能な接触部９４、９５である。接触部９２、９３は、それぞれリブ側対向面５１と点、或いは、僅かな面で接触する。弁体側対向面５２において接触部９２〜９５を除いた部分は、接触部９２、９３から後退する逃げ部であり、弁体側対向面５２から離間している。すなわち、逃げ部とリブ側対向面５１の間には隙間が形成されている。
【００６４】
本例の逆止弁１Ｅにおいても、上記の例と同様に、弁体３とリブ１４の間に異物を挟み込んでしまうことを抑制できる。また、逆止弁１が異物を噛み込んだままの状態となることを防止或いは抑制できる。さらに、接触部９２〜９５により弁体３を案内できるので、閉位置３Ａと開位置３Ｂを移動する弁体３の挙動が安定する。また、本例では、弁体３を複数の接触部９２〜９５により案内するので、弁体３の挙動が安定しやすい。
【符号の説明】
【００６５】
１・１Ａ〜１Ｅ・・・逆止弁
３・・・弁体
３Ａ・・・閉位置
３Ｂ・・・開位置
１１・・・流入口（液体流入口）
１２・・・弁座部
１４・・・リブ
１５・・・流出口（液体流出口）
５１・・・リブ側対向面
５２・・・弁体側対向面
５４ａ・７３・７８・７９・８１ａ・８８・８９・９２〜９５・・・接触部
Ｌ・・・軸線方向（移動方向）
【図１】
0006301286.tif 000002
【図２】
0006301286.tif 000003
【図３】
0006301286.tif 000004
【図４】
0006301286.tif 000005
【図５】
0006301286.tif 000006
【図６】
0006301286.tif 000007
【図７】
0006301286.tif 000008
【図８】
0006301286.tif 000009